【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
インクの種類を特定するインク情報を記録した不揮発性メモリを備えたインクカートリッジを着脱可能なインクカートリッジ着脱部と、
上記不揮発性メモリに接続されて上記インク情報を取得するインク情報取得手段と、
上記インクカートリッジから上記インクの供給を受けて当該インクを吐出するノズルを備えるヘッドと、
所定のインタフェースを介して制御データを取得するとともに同制御データに基づいてヘッドを駆動するヘッド駆動制御手段とを具備し、
上記インクカートリッジ着脱部は、少なくとも一色のインクが色毎に充填されたインクカートリッジを着脱することによって同一色の異種インクを使用可能であり、上記ヘッド駆動制御手段は上記インク情報取得手段が取得したインク情報に基づいてインクの種類毎に生成された上記制御データを取得して同一色インクであってもインクの種類別にヘッドを駆動することを特徴とする印刷装置。
【請求項２】
上記請求項１に記載の印刷装置において、
上記ヘッド駆動制御手段は、黒色インク同士であっても異種インクであるときには異なる制御データに基づいて上記ヘッドを駆動することを特徴とする印刷装置。
【請求項３】
上記請求項１または請求項２のいずれかに記載の印刷装置において、
上記インク情報は、印刷媒体に吐出されたときの発色特性が異なるインク同士が異種インクであることを示す情報を含むことを特徴とする印刷装置。
【請求項４】
上記請求項１〜請求項３のいずれかに記載の印刷装置において、
上記インクカートリッジ着脱部は、同一色の異種インクが充填された複数のインクカートリッジを着脱可能であることを特徴とする印刷装置。
【請求項５】
上記請求項１〜請求項４のいずれかに記載の印刷装置において、
当該印刷装置は上記インクカートリッジからヘッドのノズルまでのインク供給経路とノズル周りとを洗浄して印刷可能状態にするクリーニング機構を備え、同クリーニング機構は上記インク情報取得手段が取得したインク情報にて使用インクが異種インクに変更されたことが示される場合に、通常時より強く洗浄を実行することを特徴とする印刷装置。
【請求項６】
所定の制御データによって印刷装置の駆動を制御する印刷装置制御プログラムであって、
上記印刷装置が使用しているインクの種類を特定するインク情報に基づいてインクの色と種類を判別し、同一色インクであってもインクの種類が異なる場合には異なる制御データを生成する制御データ生成機能と、
同生成された制御データを所定のインタフェースを介して出力する制御データ出力機能とをコンピュータに実現させることを特徴とする印刷装置制御プログラム。
【請求項７】
上記請求項６に記載の印刷装置制御プログラムにおいて、
上記制御データ生成機能は、所定の画像機器にて使用する印刷にかかるカラー画像データを取得し、上記印刷にかかるカラー画像データと上記印刷装置にて使用するカラー画像データとの対応関係を規定した色変換データを参照して色変換するに当たり、上記判別したインクが同一色インクであってもインクの種類が異なる場合には異なる色変換データを参照して色変換を行うとともに印刷にかかるカラー画像を印刷させるための制御データを生成することを特徴とする印刷装置制御プログラム。
【請求項８】
上記請求項６または請求項７のいずれかに記載の印刷装置制御プログラムにおいて、
上記制御データ生成機能は、上記インク情報にて使用インクが異種インクに変更されたことが示される場合に、上記印刷装置が備えるクリーニング機構を駆動する制御データであって通常時より強く洗浄を実行するための制御データを生成することを特徴とする印刷装置制御プログラム。
【請求項９】
上記請求項７または請求項８のいずれかに記載の印刷装置制御プログラムにおいて、
上記色変換データは上記インクの種類毎に規定されるとともに各インクの種類にて使用可能な印刷媒体毎に規定されており、上記制御データ生成機能は上記インク情報を参照してそのインクの種類にて使用可能な印刷媒体を提示するとともにその選択を受け付け、選択された印刷媒体用の色変換データを参照することを特徴とする印刷装置制御プログラム。
【請求項１０】
同一色の異種インクが充填された複数のインクカートリッジを着脱可能なインクカートリッジ着脱部と、
上記インクカートリッジから上記インクの供給を受けて当該インクを吐出するノズルを備えるヘッドと、
所定のインタフェースを介して制御データを取得するとともに同制御データに基づいてヘッドを駆動するヘッド駆動制御手段とを備える印刷装置を所定の制御データによって駆動制御する印刷装置制御プログラムであって、
所定の画像機器にて使用する印刷にかかるカラー画像データを取得するカラー画像データ取得機能と、
上記印刷装置で使用可能な印刷媒体の選択肢を提示するとともにその選択を受け付ける印刷媒体選択受付機能と、
上記印刷媒体毎に規定された色変換データの中から上記印刷媒体選択受付機能にて受け付けた印刷媒体について規定された色変換データを選択参照して上記取得したカラー画像データを上記印刷装置にて使用するカラー画像データに変換する色変換機能と、
上記印刷媒体にて使用されるインクの種類は予め規定されており、上記印刷媒体選択受付機能にて受け付けた印刷媒体にて使用される種類のインクで画像を印刷させるための制御データを生成する制御データ生成機能と、
同生成された制御データを所定のインタフェースを介して出力する制御データ出力機能とをコンピュータに実現させることを特徴とする印刷装置制御プログラム。
【請求項１１】
所定の制御データによって印刷装置の駆動を制御する印刷装置制御方法であって、
上記印刷装置が使用しているインクの種類を特定するインク情報を取得し、同インク情報に基づいてインクの色と種類を判別し、同一色インクであってもインクの種類が異なる場合には異なる制御データを生成するとともに生成された制御データを所定のインタフェースを介して出力して、同一色インクであってもインクの種類別にヘッドを駆動するように印刷装置を制御することを特徴とする印刷装置制御方法。
【手続補正２】
【補正対象書類名】明細書
【補正対象項目名】０００５
【補正方法】変更
【補正の内容】
【０００５】
【課題を解決するための手段】
上記目的を達成するため、請求項１にかかる発明は、インクの種類を特定するインク情報を記録した不揮発性メモリを備えたインクカートリッジを着脱可能なインクカートリッジ着脱部と、上記不揮発性メモリに接続されて上記インク情報を取得するインク情報取得手段と、上記インクカートリッジから上記インクの供給を受けて当該インクを吐出するノズルを備えるヘッドと、所定のインタフェースを介して制御データを取得するとともに同制御データに基づいてヘッドを駆動するヘッド駆動制御手段とを具備し、上記インクカートリッジ着脱部は、少なくとも一色のインクが色毎に充填されたインクカートリッジを着脱することによって同一色の異種インクを使用可能であり、上記ヘッド駆動制御手段は上記インク情報取得手段が取得したインク情報に基づいてインクの種類毎に生成された上記制御データを取得して同一色インクであってもインクの種類別にヘッドを駆動する構成としてある。
【手続補正３】
【補正対象書類名】明細書
【補正対象項目名】００１６
【補正方法】変更
【補正の内容】
【００１６】
さらに、本発明においては同一色かつ異種インクであるときにインク種類別にヘッドを駆動するために、インク種類毎の制御データによって印刷装置を制御する。この制御データを生成する上で好適な構成の一例として請求項６にかかる発明では、所定の制御データによって印刷装置の駆動を制御する印刷装置制御プログラムであって、上記印刷装置が使用しているインクの種類を特定するインク情報に基づいてインクの色と種類を判別し、同一色インクであってもインクの種類が異なる場合には異なる制御データを生成する制御データ生成機能と、同生成された制御データを所定のインタフェースを介して出力する制御データ出力機能とをコンピュータに実現させる構成としてある。
【手続補正４】
【補正対象書類名】明細書
【補正対象項目名】００２２
【補正方法】変更
【補正の内容】
【００２２】
さらに、請求項８にかかる発明は、上記請求項６または請求項７のいずれかに記載の印刷装置制御プログラムにおいて、上記制御データ生成機能は、上記インク情報にて使用インクが異種インクに変更されたことが示される場合に、上記印刷装置が備えるクリーニング機構を駆動する制御データであって通常時より強く洗浄を実行するための制御データを生成する構成としてある。すなわち、上記請求項５に記載の印刷装置のようにクリーニング機構を有するものにおいて異種インクが混ざり合うのを確実に防止するための制御データを生成することができる。